(57)【要約】【課題】利用者が複数端末を保持し、その端末毎に端末非依存の各種情報が格納されている場合に、個人情報及び／又は通知先情報を他の端末にも反映させることを可能とする個人情報分散管理方法及びシステムを提供する。【解決手段】利用者が使用する利用者端末（１１）と、該利用者の個人情報等を通知すべき１つ以上の通知先端末（２１〜２３）とが、ネットワークを介して接続されており、利用者端末（１１）から通知先端末へ個人情報等を送信する方法であって、利用者が利用者端末（１１）から利用者端末（１２）へ使い分ける際に、利用者端末（１１）が、利用者端末（１２）へ個人情報等を送信する第１のステップと、利用者端末（１２）が、自ら保持する個人情報等を、受信した個人情報等に基づいて同期更新する第２のステップと、利用者端末（１２）が、個人情報等を通知先端末へ送信する第３のステップとを有する。【選択図】      図４
2004178517.tif 000002
【特許請求の範囲】
【請求項１】
利用者が使用する第１の利用者端末から１つ以上の通知先端末へ、ネットワークを介して、前記利用者の個人情報を送信する個人情報分散管理方法において、
前記利用者が前記第１の利用者端末から第２の利用者端末へ使い分ける際に、前記第１の利用者端末が、前記個人情報及び／又は通知先情報を前記第２の利用者端末へ送信する第１のステップと、
前記第２の利用者端末が、自ら保持する個人情報及び通知先情報を、受信した前記個人情報及び／又は前記通知先情報に基づいて同期更新する第２のステップと、
前記第２の利用者端末が、前記個人情報を前記通知先端末へ送信する第３のステップと
を有することを特徴とする個人情報分散管理方法。
【請求項２】
前記第１のステップについて、前記第２の利用者端末が通信可能でない場合、
前記第１の利用者端末が、前記個人情報及び／又は前記通知先情報を引継ぎサーバへ送信する第１１のステップと、
前記引継ぎサーバが、前記個人情報及び／又は前記通知先情報を蓄積する第１２のステップと、
前記第２の利用者端末が通信可能となった際に、前記引継ぎサーバが、前記個人情報及び／又は前記通知先情報を前記第２の利用者端末へ送信する第１３のステップと
を有することを特徴とする請求項１に記載の個人情報分散管理方法。
【請求項３】
前記個人情報は、前記利用者の属性情報、前記利用者の現在の状態を表す情報、前記利用者の過去の行動履歴から学習し得られた結果情報、又は、前記利用者が設定した定義情報であることを特徴とする請求項１又は２に記載の個人情報分散管理方法。
【請求項４】
前記第１の利用者端末は、前記利用者が前記第２の利用者端末又は前記引継ぎサーバを指定することができる指定ステップを更に有することを特徴とする請求項１から３のいずれか１項に記載の個人情報分散管理方法。
【請求項５】
前記指定ステップは、前記利用者が指定可能な前記第２の利用者端末又は前記引継ぎサーバの候補情報を表示し、該利用者が該候補情報のいずれかを指定することができることを特徴とする請求項４に記載の個人情報分散管理方法。
【請求項６】
前記第１の利用者端末は、前記個人情報及び／又は前記通知先情報の一部又は全部が更新された契機ごとに、更新情報を前記第２の利用者端末へ送信するステップを更に有することを特徴とする請求項１から５のいずれか１項に記載の個人情報分散管理方法。
【請求項７】
利用者が使用する第１の利用者端末から１つ以上の通知先端末へ、ネットワークを介して、前記利用者の個人情報を送信するように構成された個人情報分散管理システムにおいて、
前記第１の利用者端末は、前記利用者が前記第１の利用者端末から第２の利用者端末へ使い分ける際に、前記個人情報及び／又は通知先情報を前記第２の利用者端末へ送信する送信手段を有し、
前記第２の利用者端末は、自ら保持する個人情報及び通知先情報を、受信した前記個人情報及び／又は前記通知先情報に基づいて同期更新する手段と、前記個人情報を前記通知先端末へ送信する手段とを有する
ことを特徴とする個人情報分散管理システム。
【請求項８】
前記第１の利用者端末の前記送信手段は、前記第２の利用者端末が通信可能でない場合、前記個人情報及び／又は前記通知先情報を引継ぎサーバへ送信するように構成されており、
前記引継ぎサーバは、前記個人情報及び／又は前記通知先情報を蓄積する手段と、前記第２の利用者端末が通信可能となった際に、前記個人情報及び／又は前記通知先情報を前記第２の利用者端末へ送信する手段とを有する
ことを特徴とする請求項７に記載の個人情報分散管理システム。
【請求項９】
前記個人情報は、前記利用者の属性情報、前記利用者の現在の状態を表す情報、前記利用者の過去の行動履歴から学習し得られた結果情報、又は、前記利用者が設定した定義情報であることを特徴とする請求項７又は８に記載の個人情報分散管理システム。
【請求項１０】
前記第１の利用者端末は、前記利用者が前記第２の利用者端末又は前記引継ぎサーバを指定することができるように構成された指定手段を更に有することを特徴とする請求項７から９のいずれか１項に記載の個人情報分散管理システム。
【請求項１１】
前記指定手段は、前記利用者が指定可能な前記第２の利用者端末又は前記引継ぎサーバの候補情報を表示し、該利用者が該候補情報のいずれかを指定することができるように構成されていることを特徴とする請求項１０に記載の個人情報分散管理システム。
【請求項１２】
前記第１の利用者端末は、前記個人情報及び／又は前記通知先情報の一部又は全部が更新された契機ごとに、更新情報を前記第２の利用者端末へ送信する手段を更に有することを特徴とする請求項７から１１のいずれか１項に記載の個人情報分散管理システム。
【発明の詳細な説明】
【０００１】
【発明の属する技術分野】
本発明は、個人情報分散管理方法及びシステムに関する。具体的には、ネットワークに接続されたＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ：情報携帯端末）、携帯電話機等のような端末間において、個人情報及び／又は通知先情報を、相互に送受信する方法及びシステムに関する。
【０００２】
【従来の技術】
従来、利用者の個人情報を発信又は受信するツールとして、既に製品化されているインスタントメッセンジャーがある。例えば、ＡＯＬ（Ａｍｅｒｉｃａｎ  Ｏｎ−Ｌｉｎｅ）インスタントメッセンジャー（登録商標）、ヤフー（Ｙａｈｏｏ！）メッセンジャー（登録商標）、ＭＳＮ（Ｍｉｃｒｏｓｏｆｔ  Ｎｅｔｗｏｒｋ）メッセンジャー（登録商標）等がある。
【０００３】
これらメッセンジャーツールは、ＰＣに限られず、ＰＤＡ又は携帯電話機においても動作するものもある。利用者は、自身が所有するＰＣ、ＰＤＡ、携帯電話機等それぞれに、これらメッセンジャーツールをインストールすることができる。これにより、当該利用者は、そのとき使用している端末から、自身の個人情報を発信したり、他人の個人情報を受信したりすることが可能となる。例えば、利用者が現在会議中であれば、「会議中」旨なる個人情報を、当該利用者の端末からメッセンジャーツールによって送信することができる。
【０００４】
このように、利用者の個人情報を発信又は受信するメッセンジャーツールは、その利用者の個人情報及び／又は通知先情報をサーバに保持するクライアント／サーバ型の構成のもの（例えば非特許文献１参照）と、全て又は一部の情報を各端末に保持するＰｅｅｒ−ｔｏ−Ｐｅｅｒ型の構成のもの（例えば非特許文献２参照）とが存在する。
【０００５】
【非特許文献１】
マイクロソフトコーポレーション、”ＭＳＮメッセンジャー”、［ｏｎｌｉｎｅ］、［平成１４年１０月２５日検索］、インターネット＜ＵＲＬ：ｈｔｔｐ：／／ｍｅｓｓｅｎｇｅｒ．ｍｓｎ．ｃｏ．ｊｐ／＞
【非特許文献２】
”ＦｉｅｌｄＣａｓｔ”、ＮＴＴ技術ジャーナル、２００２年、第１４巻、第６号、ｐ．２６−２９
【０００６】
【発明が解決しようとする課題】
現在、個人情報を活用した様々なサービスが提案されているが、それら個人情報にはプライバシー情報も含まれるため、利用者は、ネットワークに個人情報を送信することに抵抗を持つことが容易に考えられる。従って、それら個人情報を扱うサービスでは、Ｐｅｅｒ−ｔｏ−Ｐｅｅｒ型の構成が提案されている。
【０００７】
しかしながら、Ｐｅｅｒ−ｔｏ−Ｐｅｅｒ型で個人情報を発信又は受信するシステムにおいては、利用者が、自宅のＰＣ、会社のＰＣ、携帯電話機、ＰＤＡ等のような端末を複数所持している場合、各端末内に個人情報又は通知先情報等を保持することとなる。
【０００８】
ここで、端末括りつけの情報（オフライン／オンライン、バッテリ残量等）については問題ないが、端末非依存の、主に所有者括りつけの情報（住所又は連絡先のような個人情報又は通知先情報）について問題となる。一方の端末に個人情報等を登録／更新／削除した後で、他方の端末を使用するとき、以前の一方の端末で登録／更新／削除した個人情報等が反映されていないため、利用者自身が再度同じ操作をする必要があった。
【０００９】
また、各端末において、利用者自身の購買履歴又はＷｅｂ閲覧等により趣味、嗜好、行動パターン等を学習させる場合においても、学習結果は、それぞれの端末内で保持されるため  、使用する端末毎に偏った学習結果になる等の問題がある。
【００１０】
そこで、本発明は、前述した課題を解決するために、利用者が複数端末を保持し、その端末毎に端末非依存の各種情報が格納されている場合に、一方の端末における登録／変更情報又は学習結果等の情報を、他方の端末にも反映させることを可能とする個人情報分散管理方法及びシステムを提供することを目的とする。
【００１１】
【課題を解決するための手段】本発明によれば、利用者が使用する第１の利用者端末から１つ以上の通知先端末へ、ネットワークを介して、利用者の個人情報を送信する個人情報分散管理方法において、
利用者が第１の利用者端末から第２の利用者端末へ使い分ける際に、第１の利用者端末が、個人情報及び／又は通知先情報を第２の利用者端末へ送信する第１のステップと、
第２の利用者端末が、自ら保持する個人情報及び通知先情報を、受信した個人情報及び／又は通知先情報に基づいて同期更新する第２のステップと、
第２の利用者端末が、個人情報を通知先端末へ送信する第３のステップと
を有することを特徴とする。
【００１２】
本発明における個人情報分散管理方法の他の実施形態によれば、第１のステップについて、第２の利用者端末が通信可能でない場合、
第１の利用者端末が、個人情報及び／又は通知先情報を引継ぎサーバへ送信する第１１のステップと、
引継ぎサーバが、個人情報及び／又は通知先情報を蓄積する第１２のステップと、
第２の利用者端末が通信可能となった際に、引継ぎサーバが、個人情報及び／又は通知先情報を第２の利用者端末へ送信する第１３のステップと
を有することも好ましい。
【００１３】
本発明における個人情報分散管理方法の他の実施形態によれば、個人情報は、利用者の属性情報、利用者の現在の状態を表す情報、利用者の過去の行動履歴から学習し得られた結果情報、又は、利用者が設定した定義情報であることも好ましい。
【００１４】
本発明における個人情報分散管理方法の他の実施形態によれば、第１の利用者端末は、利用者が第２の利用者端末又は引継ぎサーバを指定することができる指定ステップを更に有することも好ましい。
【００１５】
本発明における個人情報分散管理方法の他の実施形態によれば、指定ステップは、利用者が指定可能な第２の利用者端末又は引継ぎサーバの候補情報を表示し、該利用者が該候補情報のいずれかを指定することができることも好ましい。
【００１６】
本発明における個人情報分散管理方法の他の実施形態によれば、第１の利用者端末は、個人情報及び／又は通知先情報の一部又は全部が更新された契機ごとに、更新情報を第２の利用者端末へ送信するステップを更に有することも好ましい。
【００１７】
本発明によれば、利用者が使用する第１の利用者端末から１つ以上の通知先端末へ、ネットワークを介して、利用者の個人情報を送信するように構成された個人情報分散管理システムにおいて、
第１の利用者端末は、利用者が第１の利用者端末から第２の利用者端末へ使い分ける際に、個人情報及び／又は通知先情報を第２の利用者端末へ送信する送信手段を有し、
第２の利用者端末は、自ら保持する個人情報及び通知先情報を、受信した個人情報及び／又は通知先情報に基づいて同期更新する手段と、個人情報を通知先端末へ送信する手段とを有する、ことを特徴とする。
【００１８】
本発明における個人情報分散管理システムの他の実施形態によれば、第１の利用者端末の送信手段は、第２の利用者端末が通信可能でない場合、個人情報及び／又は通知先情報を引継ぎサーバへ送信するように構成されており、
引継ぎサーバは、個人情報及び／又は通知先情報を蓄積する手段と、第２の利用者端末が通信可能となった際に、個人情報及び／又は通知先情報を第２の利用者端末へ送信する手段とを有することも好ましい。
【００１９】
本発明における個人情報分散管理システムの他の実施形態によれば、個人情報は、利用者の属性情報、利用者の現在の状態を表す情報、利用者の過去の行動履歴から学習し得られた結果情報、又は、利用者が設定した定義情報であることも好ましい。
【００２０】
本発明における個人情報分散管理システムの他の実施形態によれば、第１の利用者端末は、利用者が第２の利用者端末又は引継ぎサーバを指定することができるように構成された指定手段を更に有することも好ましい。
【００２１】
本発明における個人情報分散管理システムの他の実施形態によれば、指定手段は、利用者が指定可能な第２の利用者端末又は引継ぎサーバの候補情報を表示し、該利用者が該候補情報のいずれかを指定することができるように構成されていることも好ましい。
【００２２】
本発明における個人情報分散管理システムの他の実施形態によれば、第１の利用者端末は、個人情報及び／又は通知先情報の一部又は全部が更新された契機ごとに、更新情報を第２の利用者端末へ送信する手段を更に有することも好ましい。
【００２３】
【発明の実施の形態】
以下、本発明の実施の形態について図面を参照して詳しく説明する。
【００２４】
図１は、本発明のシステム構成図である。
【００２５】
図１によれば、インターネット等のネットワーク０１を介して、利用者の利用者端末１１及び１２（ＰＣ、ＰＤＡ、携帯電話等）と、その利用者の個人情報を受信する通知先情報に登録されている端末２１、２２及び２３（ＰＣ、ＰＤＡ、携帯電話等）と、サーバ３１とが接続されている。
【００２６】
図２は、本発明による利用者端末１１及び１２の機能構成図である。
【００２７】
図２によれば、利用者端末１１及び１２は、表示手段１０１と、操作手段１０２と、端末制御手段１０３と、データ送受信手段１０４と、情報引継ぎ制御手段１０５と、個人情報記録手段１０６と、通知先情報記録手段１０７と、学習結果記録手段１０８とを有する。
【００２８】
表示手段１０１は、例えば、引継ぎ可能な利用者端末又は引継ぎサーバの候補情報を利用者に表示するものである。操作手段１０２は、利用者が直接変更先の端末を指定してもよいし、例えば、表示手段１０１の引継ぎ可能な候補情報に基づいて、利用者がいずれかを選択指定するものであってもよい。端末制御手段１０３は、利用者端末１１及び１２が送受信するデータを制御するものである。データ送受信手段１０４は、端末制御手段１０３の制御によって、他の利用者端末、引継ぎサーバ又は通知先端末との間で、データを送受信するものである。
【００２９】
情報引継ぎ制御手段１０５は、個人情報及び／又は通知先情報から他の端末へ引き継ぐべき引継ぎ情報を生成するものである。
【００３０】
個人情報記録手段１０６は、例えば、利用者の属性情報（名前、年齢、性別、住所等）、利用者の現在の状態を表す情報（場所、行動目的、趣味、嗜好、状況、気持ち等）、学習結果情報、又は、利用者が設定した定義情報のような個人情報を記録したものである。このように、属性情報等の静的な情報だけでなく、現在の状態を表す情報等の動的な情報も含まれる。
【００３１】
表１は、個人情報のデータ構造の一例を示す。
【表１】
2004178517.tif 000003
【００３２】
通知先情報記録手段１０７は、通知先となる端末のアドレスを記録したものである。例えば、個人情報が登録又は変更されると、この通知先情報のアドレス先へ、その個人情報が送信される。
【００３３】
表２は、通知先情報のデータ構造の一例を示す。
【表２】
2004178517.tif 000004
【００３４】
学習結果記録手段１０８は、利用者の過去の行動履歴から学習し得られた結果情報を記録したものである。
【００３５】
図３は、本発明によるサーバ３１の機能構成図である。
【００３６】
図３によれば、サーバ３１は、データ送受信手段３０１と、サーバ制御手段３０２と、データ蓄積手段３０３と、端末状態管理手段３０４とを有する。
【００３７】
データ送受信手段３０１は、サーバ制御手段３０２の制御によって、利用者端末との間でデータを送受信するものである。サーバ制御手段３０２は、引継ぎサーバ３１が送受信するデータを制御するものである。
【００３８】
データ蓄積手段３０３は、利用者端末から受信した個人情報及び／又は通知先情報を一時的に蓄積するものである。
【００３９】
端末状態管理手段３０４は、利用者の情報を引き継ぐべき利用者端末が、通信可能であるか否かを確認するものである。例えば、利用者端末の電源投入時に該利用者端末からの接続状況「オンライン」のメッセージを受信したり、又は、一定時間毎に引継ぎサーバが当該利用者端末が通信可能か否かを確認するメッセージを送信するものであってもよい。
【００４０】
図４は、利用者が別端末へ個人情報等を引き継ぐ際の動作シーケンス図である。
【００４１】
ここでは、利用者が会社でＰＣを使用した後で、利用者が携帯電話機を所持しつつ会社を退出し、その後、自宅でＰＣを使用するような状況を想定している。
【００４２】
ステップ１にて、利用者は、利用者端末１１の操作手段１０２により、自身の個人情報“状況＝「会議中」”へ変更する指示を入力する。
【００４３】
ステップ２にて、利用者端末１１は、ステップ１において入力された個人情報を個人情報記録手段１０６に記録する。それと共に、予め通知先情報登録手段１０７に登録されていた通知先（端末２１及び２２）へ“状況＝「会議中」”のメッセージをデータ送受信手段１０４により送信する。
【００４４】
ステップ３にて、利用者は、利用者端末１１の操作手段１０２により、個人情報の通知先に端末２３の追加指示を入力する。
【００４５】
ステップ４にて、利用者端末１１は、ステップ３において入力された通知先情報を通知先記録手段１０７に記録する。それと共に、現在記録されている個人情報を、端末２３へデータ送受信手段１０４によって送信する。
【００４６】
ステップ５にて、利用者は、利用者端末１１の操作手段１０２により、自身の個人情報“状況＝「食事中」”へ変更する指示を入力する。
【００４７】
ステップ６にて、利用者端末１１は、ステップ５にて入力された個人情報を個人情報記録手段１０６に記録する。それと共に、通知先情報に従って“状況＝「食事」”のメッセージをデータ送受信手段１０４によって送信する。この際、ステップ４にて新たに端末２３が通知先として登録されたので、今回のデータは、端末２１、２２及び２３ヘ送信される。
【００４８】
以上、ステップ１〜６は、既に提案されているＰｅｅｒ−ｔｏ−Ｐｅｅｒ型のインスタントメッセンジャーの機構と同様である。
【００４９】
本発明によれば、この後、利用者が会社での仕事を終え帰宅するために、使用端末を会社ＰＣ（端末１１）から携帯電話機（端末１２）へ変更する際に、利用者が端末１１で記録した情報を矛盾が起こらないように端末１２へ引き継ぐことを特徴としている。以下、ステップ７以降を説明する。
【００５０】
ステップ７にて、利用者は、利用者端末１１の操作手段１０２により、使用端末を端末１２へ変更する指示を入力する。このステップ７では、利用者が直接変更先の端末を指定してもよい。また、端末１１が他端末の状態１を管理し、引継ぎ可能な端末候補を利用者へ提示し、利用者がその選択肢から指定するものであってもよい。
【００５１】
ステップ８にて、利用者端末１１は、引き継ぐべき個人情報及び／又は通知先情報を生成する。この情報は、利用者が予め端末非依存として指定した情報である。逆に、端末依存の情報は引継ぎ情報には含まれない。
【００５２】
ステップ９にて、利用者端末１１は、ステップ７にて指定された引継ぎ先端末の状態を確認する。引き継ぎ先端末の電源がＯＮであり、ネットワークに接続されている状態であれば、ステップ１０に進む。一方、引継ぎ先端末の電源がＯＦＦである、又はネットワークに接続されていない状態であれば、ステップ１５に進む。尚、ステップ１５以降は、図５で説明する。
【００５３】
ステップ１０にて、利用者端末１１は、データ送受信手段１０４により、個人情報及び／又は通知先情報である引継ぎ情報を利用者端末１２ヘ送信する。
【００５４】
ステップ１１にて、利用者端末１２は、ステップ１０により受信した引継ぎ情報のタイムスタンプと、利用者端末１２が保持していた個人情報及び／又は通知先情報のタイムスタンプとを比較する。
【００５５】
ステップ１２にて、利用者端末１２は、ステップ１１にてタイムスタンプを比較した結果、受信した情報の方が新しいものであれば、受信した情報により上書き更新を行う。逆に、受信した情報の方が古いものであれば、受信した情報を破棄する。
【００５６】
ステップ１３にて、利用者は、利用者端末の操作手段１０２により、自身の個人情報“状況＝「帰宅中」”へ変更する指示を入力する。
【００５７】
ステップ１４にて、利用者端末１１は、ステップ１３にて入力された情報を個人情報記録手段１０６により記録する。それと共に、利用者端末１１は、“状況＝「帰宅中」”のメッセージを、データ送受信手段１０４により通知先（端末２１、２２、２３）へ送信する。このステップ１４からも理解できるように、別端末（端末１１）で通知先に設定した端末２３の情報も、端末１２に反映されているため、利用者は新たに端末１２において通知先に端末２３の情報を登録する必要がない。
【００５８】
図５は、ステップ９にて引継ぎ先端末の電源がＯＦＦ等の理由により、即時に情報を引き継げない場合の動作シーケンス図である。
【００５９】
ステップ１５にて、利用者端末１１は、引継ぎ先の端末へ送信できない引継ぎ情報を、引継ぎサーバ３１へ送受信手段１０４により送信する。これは、例えば、会社のＰＣ（端末１１）から、電源ＯＦＦの自宅ＰＣ（端末１２）へ現在の情報を引き継ぎたい場合がある。
【００６０】
ステップ１６にて、引継ぎサーバ３１は、受信した引継ぎ情報をデータ蓄積手段３０３により蓄積する。
【００６１】
ステップ１７にて、利用者が自宅に帰り、自宅ＰＣ（端末１２）の電源をＯＮにし、ネットワークヘ接続すると、“ネットワーク接続状況＝「オンライン」”のメッセージが、利用者端末１２から引継ぎサーバ３１ヘ、データ送受信手段１０４により送信される。
【００６２】
ステップ１８にて、引継ぎサーバ３１は、端末状態管理手段３０４によりメッセージを判断し、ステップ１６にて蓄積された引継ぎ情報を、端末１２ヘダウンロードする。
【００６３】
前述したステップ１５〜１８に示したとおり、引継ぎ先に指定した端末が電源ＯＦＦ又はオフラインの場合でも、常に最新の情報で各所有端末を使用することが可能である。
【００６４】
図６は、個人情報及び／又は通知先情報を他端末への反映する動作シーケンス図である。
【００６５】
図６によれば、ある端末で何らかの操作によりその端末内に格納している端末非依存の情報に変更が生じた場合、その都度、その変更情報を、予め利用者が定義した端末（例えば自身が所有する全端末）へ送信する。その情報を受信した各端末は、その情報を自端末内の情報に反映し、常に同期をとることができる。
【００６６】
図６に示した例においては、個人情報（会議中／食事中／帰宅中）と通知先情報とについて説明したが、本発明はこれに限定されるものではない。例えば、その他の個人情報（属性、気分、嗜好）やその端末で学習させた結果情報等、端末非依存（＝所有者依存）の情報についても含むことは云うまでもない。また、前述の例では、利用者の個人情報を利用者が入力することとしているが、各種センシング機器による個人情報（血糖値や脈拍等）を入力する場合も含む。
【００６７】
【発明の効果】
本発明の個人情報分散管理方法及びシステムによれば、利用者が複数端末を所持し、使用端末を使い分ける場合に、ある端末で登録した情報、学習した情報等を情報の矛盾なく容易に他の所有端末に反映させることが可能であり、再登録、再学習の手間をなくし、常に情報の最新化、一貫性を保つことが可能となる。
【００６８】
また、電源ＯＦＦ又はオフラインの端末については、情報をサーバに一旦蓄積し、当該端末がＯＮ等になった契機で情報の最新化、一貫性を保つことが可能となる。
【図面の簡単な説明】
【図１】本発明のシステム構成図である。
【図２】本発明による利用者端末１１及び１２の機能構成図である。
【図３】本発明によるサーバ３１の機能構成図である。
【図４】利用者が別端末へ個人情報等を引き継ぐ際の動作シーケンス図である。
【図５】引継ぎ先端末が即時に情報を引き継げない場合の動作シーケンス図である。
【図６】個人情報等を他端末への反映する動作シーケンス図である。
【符号の説明】
０１  ネットワーク
１１、１２  利用者端末
２１、２２、２３  通知先情報に記録された通知先端末
３１  引継ぎサーバ
１０１  表示手段
１０２  操作手段
１０３  端末制御手段
１０４  データ送受信手段
１０５  情報引継ぎ制御手段
１０６  個人情報記録手段
１０７  通知先情報記録手段
１０８  学習結果記録手段
３０１  データ送受信手段
３０２  サーバ制御手段
３０３  データ蓄積手段
３０４  端末状態管理手段
【図１】
2004178517.tif 000005
【図２】
2004178517.tif 000006
【図３】
2004178517.tif 000007
【図４】
2004178517.tif 000008
【図５】
2004178517.tif 000009
【図６】
2004178517.tif 000010